(57)【特許請求の範囲】
【請求項１】
操作パネルを備えた機器本体と該機器本体を係合状態で固定する取付枠体とから構成されている電子機器において、
前記操作パネルが前記機器本体の前面に着脱自在に取付けられ、保持手段によって取付け状態で保持され、該保持状態を解除するための前記操作パネル離脱用操作子と、前記係合状態を解除し得るようにするための解除用操作子が前記操作パネルに設けられていることを特徴とする電子機器。
【請求項２】
前面に解除用操作子が配設されている操作パネルを備え、係合手段が設けられている機器本体と、該係合手段に係合する被係合手段が設けられている取付枠体とから構成され、前記係合手段と前記被係合手段とを係合させることにより前記取付枠体に前記機器本体が取り付けられる電子機器において、
解除用工具を挿入すると前記係合手段と前記被係合手段との係合が解除され、しかも前記解除用工具の挿入を阻止する阻止手段が設けられ、前記解除用操作子の操作により前記阻止手段による阻止を解除して前記機器本体と前記取付枠体との前記係合を解除し得る状態にできる解除手段
を備えていることを特徴とする電子機器。
【請求項３】
前記操作パネルが前記機器本体の前面の装着部に着脱自在に取り付けられていることを特徴とする請求項２に記載の電子機器。
【請求項４】
機器本体の前面に着脱自在に取付けられた操作パネルを備え、係合手段が設けられている機器本体と、前記係合手段に係合する被係合手段が設けられている取付枠体とから構成され、解除用工具を挿入して前記係合手段と前記被係合手段の係合を解除させることが可能な挿入部を前記操作パネルに設けると共に、前記解除用工具での係合解除を阻止する阻止部と、前記阻止部を前記解除用工具の侵入を許容する状態と阻止する状態に切換える切換え手段と、該切換え手段を切換え操作する操作手段とを設けると共に、少なくとも前記操作手段を前記操作パネルに取付けるようにした電子機器。
【請求項５】
機器本体を着脱自在に収納する取付枠体を設け、前記取付枠体に前記機器本体を収納して該機器本体の係合手段を前記取付枠体の被係合手段に係合させると共に、前記機器本体に設けた挿入部に工具を挿入することにより、前記係合手段と前記被係合手段との係合を解除して、前記取付枠体より前記機器本体を取り出し得るようにした電子機器において、
前記機器本体に出没自在に取っ手を取り付けると共に、前記取っ手が前記挿入部からの工具の挿入を阻止する阻止手段を構成し、前記取っ手の没状態で前記取っ手によって前記工具による前記係合手段の係合解除を阻止するようにした電子機器。
【請求項６】
前面に解除用操作子を備える操作パネルを着脱自在に有する機器本体を収納する取付枠体を設け、前記取付枠体の被係合手段に前記機器本体の係合手段を係合させると共に、前記機器本体に設けた挿入部に工具を挿入することにより、前記係合手段と前記被係合手段の係合を解除して前記取付枠体より前記機器本体を取り出し得るようにすると共に、前記機器本体に出没自在に取っ手を取り付け、前記取っ手の没状態では前記取っ手が前記挿入部からの前記工具の挿入を阻止すると共に、前記操作パネルの解除用操作子の操作により前記取っ手を出状態として前記取っ手を取り出すことによって前記挿入部からの工具の挿入を可能としたことを特徴とする電子機器。
【請求項７】
前記操作パネルが前記機器本体の装着部に着脱自在に取り付けられ、離脱用操作子を操作することにより前記操作パネルが前記機器本体の装着部から取り外されることを特徴とする請求項５または請求項６に記載の電子機器。
【発明の詳細な説明】
【０００１】
【発明の属する技術分野】
本発明は、電子機器本体の盗難を防止できる電子機器、特に車載用に適用して好適な電子機器に関するものである。
【０００２】
【従来の技術】
以下の説明においては、電子機器として車載用電子機器を採り上げて説明する。
現在、一般に出回っている車載用電子機器としてカセットプレーヤ付きラジオ受信機、ＣＤ（コンパクトディスク）プレーヤ、ＭＤ（ミニディスク）プレーヤ、ＣＤ・ＭＤ一体型プレーヤ、ＤＶＤ（ディジタルビデオディスク）プレーヤなどがある。そして、現在、一般に販売されている乗用車等の車両においては、新車購入時に、少なくともカセットプレーヤ付きラジオ受信機が搭載されており、ＣＤプレーヤ、ＭＤプレーヤ、ＣＤ・ＭＤ一体型プレーヤ、ＤＶＤプレーヤはオプションとして扱われている。これらの電子機器は、その機器本体の高さ、幅、及び奥行きの外形寸法がＤＩＮ規格で統一されており、通常、１ＤＩＮ、或いは２ＤＩＮに規定されている。
【０００３】
車両購入者或いは搭乗者(以下、「使用者」と略記する)がＣＤプレーヤ、ＭＤプレーヤ、ＣＤ・ＭＤ一体型プレーヤ、ＤＶＤプレーヤなど、少なくとも一つ以上の車載用電子機器を楽しむことを欲する場合は、別途、それらを購入し、その内の一つを、例えば、ＣＤプレーヤを既存のカセットプレーヤ付きラジオ受信機と差し替えて使用するか、既存のカセットプレーヤ付きラジオ受信機に重ねるように搭載して使用し、そしてＣＤプレーヤを楽しめるように構成されている。
【０００４】
これらカセットプレーヤ付きラジオ受信機、ＣＤプレーヤ、ＭＤプレーヤ、ＣＤ・ＭＤ一体型プレーヤ、ＤＶＤプレーヤなどのような車載用電子機器、例えば、カセットプレーヤ付きラジオ受信機は、一般に機器本体とこの機器本体を車両に取り付けるためのブラケット、即ち、取付枠体とから構成されているものと、機器本体とこの機器本体のフロントの装着部に着脱自在に取り付けられる操作パネルと機器本体を車両に取り付けるための取付枠体とから構成されたものとがある。
【０００５】
以下、図を用いて、これら従来技術の車載用電子機器を説明する。
図１２は従来技術の第１形式の車載用電子機器を示していて、同図Ａはその構成を示す分解斜視図、同図Ｂは同図Ａの車載用電子機器に用いられている一構成部品である板バネの斜視図、図１３は図１２に示した車載用電子機器が車両に組み込まれた係止状態を示す側面図、図１４は図１３に示した組込状態にある車載用電子機器から機器本体を取り出す場合の係止解除方法を説明するための要部断面図、図１５は従来技術の第２形式の車載用電子機器の斜視図、図１６は図１５に示した車載用電子機器の機器本体から操作パネルがリリースされた状態を示す分解斜視図、図１７は図１５に示した車載用電子機器の機器本体から操作パネルをリリースさせるためのリリースボタンの構造を示す断面図、図１８は着脱装置によって機器本体の装着部に操作パネルが装着され、係合されている状態を示した一部分の断面上面図、そして図１９は図１８に示した着脱装置による係合状態から操作パネルが離脱した状態を示した一部分の断面上面図である。
【０００６】
先ず、従来技術の第１の形式の車載用電子機器の構成、構造を説明する。図１２において、符号１ａは全体として車両用電子機器を指す。この車載用電子機器１ａとしては、前記のように、カセットプレーヤ付きラジオ受信機、ＣＤプレーヤ、ＭＤプレーヤ、ＣＤ・ＭＤ一体型プレーヤ、ＤＶＤプレーヤなどを挙げることができるが、図示の実施形態では、カセットプレーヤ付きラジオ受信機を採り上げて図示した。この車載用電子機器１ａは、機器本体１０ａとこの機器本体１０ａを車両に取り付けるための取付枠体３０とから構成されている。
【０００７】
機器本体１０ａは、１ＤＩＮサイズの筐体１１を中心にして構成されていて、そのフロントには機器を操作するための各種のボタン等が設けられている操作パネル２０ａが形成されている。
【０００８】
また、筐体１１の左右両側面には、それぞれ上下方向に所定の間隔を開けて、一対の開口１１１が開けられており、そしてそれぞれの開口１１１に臨んで筐体１１の内部に所定の長さの金属製の板バネ１３が配設されている。板バネ１３は、図１２Ｂに示したように、その先端部は「く」の字型に屈曲した係合突起１３１が形成されており、そしてその係合突起１３１から先の先端部は傾斜面１３２に形成されている。このような構造の板バネ１３が、その係合突起１３１が前記開口１１１から外方に突出するように、基端部が筐体１１の内部にリベット等の手段で固定されている。これら係合突起１３１の位置は後記する取付枠体３０の係合孔３１に係合できる位置である。
【０００９】
操作パネル２０ａには、機器本体１０ａを作動させるための複数の操作ボタン２１や、動作状態等を表示するためのディスプレイ部２２を有すると共に、カセットを挿入するためのカセット挿入口２３が形成されている。
【００１０】
また、操作パネル２０ａの両側端部には、機器本体１０ａの内部に通じる一対の挿入口２４がそれぞれ開けられている。これら挿入口２４の位置は、前記係合突起１３１の傾斜面１３２に当接して押圧できる位置である。
【００１１】
次に、前記の取付枠体３０の構造であるが、図１２乃至図１４に示したように、取付枠体３０のそれぞれの側面には上下２カ所に同一寸法の被係合部である係合孔３１が開けられており、また、両側面にそれぞれ１カ所ずつ、上下面にそれぞれ３カ所ずつ、係止爪３２が形成されている。そして、図１２に示したように、その背面内部の片隅には、車両バッテリ、スピーカ（何れも不図示）などにコード３４で接続されている電気回路接続用コネクター３３が取り付けられている。
【００１２】
次に、機器本体１０ａを車両に取り付ける構造を説明する。先ず、取付枠体３０を車両のダッシュボードＢ等に取り付ける。取付枠体３０は車両のダッシュボードＢ等に設けられている開口に挿入し、図１３に示したように、複数本の係止爪３２を取付枠体３０の内方から外方に向けて起こして、取付枠体３０をダッシュボードＢ等に固定する。
【００１３】
次に、そのダッシュボードＢ等に固定された取付枠体３０に機器本体１０ａを挿入する。そうすると、図１３及び図１４に示したように、機器本体１０ａの側面に固定しておいた板バネ１３の係合突起１３１がバネ力により取付枠体３０の係合孔３１から外方に突出して係合し、機器本体１０ａは、最早、専用工具Ｄを使用しない限り取り外すことができない状態で固定される。
【００１４】
このような取付構造の機器本体１０ａを他の機器本体と差し替える等により取付枠体３０と機器本体１０ａとの係合を解除する場合には、図１４に示したように、専用工具Ｄを用いて行われる。この専用工具Ｄは、例えば、図１３に示したようにＵ字型に折り曲げられていて、それぞれの先端部Ｄａの間隔は操作パネル２０ａに開けた各一対の挿入口２４の間隔に相当する寸法である。
【００１５】
このような構造の専用工具Ｄを２本用い、それらの先端部Ｄａを機器本体１０ａの操作パネル２０ａのそれぞれの挿入口２４に差し込み、取付枠体３０の係合孔３１に係合している板バネ１３の傾斜面１３２を押し上げることにより係合突起１３１をそれぞれの係合孔３１から外すことによって取り出せることができる。
【００１６】
従って、この形式の車載用電子機器１ａは、このような専用工具Ｄがなければ、装着済みの機器本体１０ａを簡単に取り出すことができないので、或る程度の盗難防止対策になっている。しかし、盗ろうとする者は、使用者が車両を離れた時に、特に夜間に、その車両の窓ガラスを割り、類似の工具を用いて取り出し、持ち去ることができる。
【００１７】
このため、従来技術の第２形式の車載用電子機器１ｂとしては、前記の盗難防止対策が施された上で、更に図１６に示したように、操作パネル２０ｂを機器本体１０ｂから切り離して別体とし、機器本体１０ｂのフロントの装着部１２に着脱自在に取り付けられるように構成し、使用者が車両を離れる時に操作パネル２０ｂだけを取り外して持ち、離れられるようになされている。
【００１８】
なお、この従来例の第２の形式の車載用電子機器は取付枠体の上下両側面にそれぞれ一対の係合孔が設けられた機器本体１０ｂの上下両側面にも対向する位置に開口１１１が設けられていて、それぞれの開口１１１に臨んで板バネ１３が設けられているものである。そして、この板バネ１３が係合孔に係合して取り外し出来るようになされ、取り外すには専用工具Ｄを用いないと取り外すことができないように構成されているのは、従来の第１の形式の車載用電子機器の場合と同様である。
【００１９】
即ち、操作パネル２０ｂの前面には、図１５及び図１６に示したように、前記操作パネル２０と同様に、機器本体１０ｂを作動させるための複数の操作ボタン２１や、動作状態等を表示するためのディスプレイ部２２を有すると共に、機器本体１０ｂの装着部１２に形成されている、カセットが挿入される開口部１２２と対向するカセット挿入口２３が形成されており、このカセット挿入口２３からテープカセットが出し入れされる。
【００２０】
また、この操作パネル２０ｂの前面部には、図１７Ｂに示したように、コイルバネ２８ｂで常時操作パネル２０の表面から突出するように押し出されているリリースボタン２８が設けられており、そのリリースボタン２８の先端部２８ｂが図１７Ａに示したように、操作パネル２０の裏面と同一の面内或いはこれより後退した位置で臨んでいる。そのリリースボタン２８をコイルバネ２８ｂ押すことによって、操作パネル２０が後記する着脱装置１５との嵌合が解除され、図１６に示したように、操作パネル２０ｂを機器本体１０ｂの装着部１２から取り外せるように構成されている。
【００２１】
操作パネル２０ｂの裏面には、複数の接続端子２５が設けられ、これに対応して機器本体１０ｂ側には接続端子１２３が設けられており、操作パネル２０ｂを機器本体１０ｂの装着部１２に装着したときには、これらの接続端子１２３と接続端子２５とが接触することにより、操作パネル２０ｂと機器本体１０ｂ間が電気的に接続される。また、接続端子２５とは反対側の端には嵌合凹部２６が形成されている。
【００２２】
機器本体１０ｂの装着部１２は操作パネル２０ｂが納まる枠体１２１に形成されており、この枠体１２１の右側部内面側には突片１２５が突出して形成され、一方、これに対応して操作パネル２０ｂの右側端面には係合部２７が形成されている。また、装着部１２の四隅には操作パネル２０ｂの四隅に開けられている挿入口２４にそれぞれ対応した位置に挿入口１２４が設けられている。
【００２３】
そして、この係合部２７を前記突片１２５に係合させた状態で、この部分を支点として操作パネル２０ｂを装着部１２の枠体１２１内に納まるように装着させることにより、操作パネル２０ｂは装着部１２側に設けられた着脱装置１５によって、その状態で保持されるように構成されている。また、操作パネル２０ｂのリリースボタン２８を押すことで、図１６に示したように、着脱装置１５が操作され、これによって機器本体１０ｂから操作パネル２０ｂを離脱（リリース）させることができるように構成されている。
【００２４】
着脱装置１５は、その一例を挙げ、その構成、構造及び機能を簡単に説明するならば、図１８及び図１９に示したように、取付支持板１５１に軸支されているアーム１５２と、このアーム１５２の先端部に軸支され、操作パネル２０の係合凹部２６に係合して操作パネル２０を保持する第１の係合部１５３を有すると共に、取付支持板１５１の係合突柱１５４と係合する第２の係合部１５５を有するホルダー１５６と、これらアーム１５２及びホルダー１５６をそれぞれ前方へ回動偏奇させる第１バネ１５７及び第２バネ１５８とによって構成されている。第１バネ１５７は第２バネ１５８よりも強い力量に設定されている。
【００２５】
従って、操作パネル２０ｂの係合部２７を機器本体１０ｂの装着部１２の突片１２５に係合させた状態で、その操作パネル２０ｂの他端を装着部１２へ押し付けると、その係合凹部２６に着脱装置１５のホルダー１５６の第１係合部１５３が係合し、そして前記両バネ１５７及び１５８の力量差によりホルダー１５６の第２係合部１５５が係合突起１５４と係合し、操作パネル２０は機器本体１０ｂの装着部１２に装着された状態で保持される（図１８）。
【００２６】
この保持された状態から操作パネル２０を外す場合には、リリースボタン２８を押すことにより、その先端部２８ｂがアーム１５２離脱操作部１５２ａが押され、ホルダー１５６の第２係合部１５５が係合突起１５４に係合している状態が解かれ、第２バネ１５８に力によりホルダー１５６の第１係合部１５３が係合凹部２６に係合している状態が解かれて、図１９に示した離脱（リリース）状態になり、操作パネル２０を装着部１２から取り外すことができる。
【００２７】
なお、このような着脱装置は特開平７−１５６７１９「着脱装置」の公開特許公報に開示されている。
【００２８】
従って、第２形式の車載用電子機器１ｂによれば、使用者が車両を離れる時に操作パネル２０ｂだけを取り外して持ち、離れたならば、機器本体１０ｂの装着部１２の色がダッシュボードの色、通常、ブラックやグレーであるが、それと同色であるために、暗い車内であると、外から車両の内部を覗いても、電子機器が搭載されているか否かが判り難く、盗難に遭い難い。
【００２９】
しかし、車載用電子機器をこのような構造で構成しても、まだ完全な盗難防止対策とはならない。何故ならば、操作パネル２０ｂは販売店で販売されているものであるから、機器本体を盗んだ盗人は、その機種の操作パネル２０ｂだけを入手でき、盗んだ機器本体を容易に使用することができる。
【００３０】
従って、機器本体１０ｂに設けられた制御用マイコンのメモリ（記憶装置）と操作パネル２０ｂに設けられているメモリとに特定の番号（ＩＤ番号）を書き込んでおき、その番号が合致した場合に始めて作動するように構成した電子機器が出現している。なお、機器本体１０ｂと操作パネル２０ｂに設けられているメモリは不揮発性メモリとされている。このため、たとえその機器本体１０ｂを盗み出し、販売店で別の操作パネル２０ｂを買ったとしても、両者の認識番号が合致しないと、その機器本体１０ｂは動作しないので、この別の操作パネル２０ｂでは機器本体１０ｂは使用できないことになる。
【００３１】
【発明が解決しようとする課題】
しかし、車両の使用者にとっては、このような番号認識による盗難防止対策が講じられていても、盗られては元も子もない。盗ろうとする者にとっては、その車両に搭載されている電子機器が番号認識方式のものであるか否かは判らない。従って、盗人は、番号認識方式の電子機器ではないと思って窓ガラスを割り、盗ってしまう可能性がある。
【００３２】
従って、本発明はこのような課題を解決しようとするものであって、機器本体は通常は取り出せないようにしておいて、使用者が他の機器本体と交換したい場合には、使用者にとっては極めて容易に取り外すことができる電子機器を得ることを目的とするものである。
【００３３】
【課題を解決するための手段】
それ故、請求項１に記載の発明では、操作パネルを備えた機器本体とその機器本体を係合状態で固定する取付枠体とから構成されている電子機器において、前記操作パネルが前記機器本体の前面に着脱自在に取付けられ、保持手段によって取付け状態で保持され、該保持状態を解除するための前記操作パネル離脱用操作子と、前記係合状態を解除し得るようにするための解除用操作子を前記操作パネルに設けて、前記課題を解決している。
【００３４】
そして、請求項２に記載の発明では、前面に解除用操作子が配設されている操作パネルを備え、係合手段が設けられている機器本体と、その係合手段に係合する被係合手段が設けられている取付枠体とから構成され、前記係合手段と前記被係合手段とを係合させることにより前記取付枠体に前記機器本体が取り付けられる電子機器において、解除用工具を挿入すると前記係合手段と前記被係合手段との係合が解除され、しかも前記解除用工具の挿入を阻止する阻止手段が設けられ、前記解除用操作子の操作により前記阻止手段による阻止を解除して前記機器本体と前記取付枠体との前記係合を解除し得る状態にできる解除手段を設けて、前記課題を解決している。
【００３５】
また、請求項３に記載の発明では、請求項２に記載の電子機器における前記操作パネルが前記機器本体の前面の装着部に着脱自在に取り付けられていることを特徴とする。
【００３６】
そしてまた、請求項４に記載の発明では、電子機器が、機器本体の前面に着脱自在に取付けられた操作パネルを備え、係合手段が設けられている機器本体と、前記係合手段に係合する被係合手段が設けられている取付枠体とから構成されていて、解除用工具を挿入して前記係合手段と前記被係合手段の係合を解除させることが可能な挿入部を前記操作パネルに設けると共に、前記解除用工具での係合解除を阻止する阻止部と、前記阻止部を前記解除用工具の侵入を許容する状態と阻止する状態に切換える切換え手段と、該切換え手段を切換え操作する操作手段とを設けると共に、少なくとも前記操作手段を前記操作パネルに取付けるようにして、前記課題を解決している。
【００３７】
更に、請求項５に記載の発明では、機器本体を着脱自在に収納する取付枠体を設け、前記取付枠体に前記機器本体を収納して該機器本体の係合手段を前記取付枠体の被係合手段に係合させると共に、前記機器本体に設けた挿入部に工具を挿入することにより、前記係合手段と前記被係合手段との係合を解除して、前記取付枠体より前記機器本体を取り出し得るようにした電子機器において、前記機器本体に出没自在に取っ手を取り付けると共に、前記取っ手が前記挿入部からの工具の挿入を阻止する阻止手段を構成し、前記取っ手の没状態で前記取っ手によって前記工具による前記係合手段の係合解除を阻止するように構成して、前記課題を解決している。
【００３８】
更にまた、請求項６に記載の発明では、電子機器を、前面に解除用操作子を備える操作パネルを着脱自在に有する機器本体を収納する取付枠体を設け、前記取付枠体の被係合手段に前記機器本体の係合手段を係合させると共に、前記機器本体に設けた挿入部に工具を挿入することにより、前記係合手段と前記被係合手段の係合を解除して前記取付枠体より前記機器本体を取り出し得るようにすると共に、前記機器本体に出没自在に取っ手を取り付け、前記取っ手の没状態では前記取っ手が前記挿入部からの前記工具の挿入を阻止すると共に、前記操作パネルの解除用操作子の操作により前記取っ手を出状態として前記取っ手を取り出すことによって前記挿入部からの工具の挿入を可能とするように構成して、前記課題を解決している。
【００３９】
そして更にまた、請求項７に記載の発明の電子機器では、請求項５または請求項６に記載の電子機器における前記操作パネルが前記機器本体の装着部に着脱自在に取り付けられ、離脱用操作子を操作することにより前記操作パネルが前記機器本体の装着部から取り外されることを特徴とする。
【００４０】
従って、請求項１に記載の発明によれば、解除操作子を押圧することにより、取付枠体と機器本体との係合を解除することができる。
【００４１】
そして請求項２に記載の発明によれば、解除手段の存在により、工具のみでは取付枠体と機器本体との係合を解除することができない。
【００４２】
また、請求項３に記載の発明によれば、請求項１または請求項２に記載の発明の作用に加えて、操作パネルがなければ、取付枠体と機器本体との係合を解除することができない。
【００４３】
そしてまた、請求項４に記載の発明によれば、工具を挿入するだけで操作パネルを備えた機器本体と取付枠体との係合を容易に解除することができない。
【００４４】
更に、請求項５に記載の発明によれば、取っ手を機器本体に係合させることにより取付枠体から機器本体を取り出することを防止できる。
【００４５】
そして更にまた、請求項６に記載の発明によれば、取っ手を機器本体に没状態にすることにより取付枠体から機器本体を取り出すことを防止でき、そして前記取っ手を没状態から出状態にすることにより前記機器本体を前記取付枠体から離間させることができる。
【００４６】
そして更にまた、請求項７に記載の発明によれば、請求項５または請求項６に記載の発明の作用に加えて、操作パネルが機器本体に装着されていなければ、その機器本体を取り出すことができない。
【００４７】
【発明の実施の形態】
以下、図を用いて、本発明の各種実施形態の車載用電子機器を説明する。
図１は本発明の第１実施形態の車載用電子機器の分解斜視図、図２は図１に示した車載用電子機器の機器本体の前面に着脱自在に取り付けられる操作パネルを外した状態の分解斜視図、図３は図２に示した操作パネル２を機器本体から外すためのリリースボタンの構造を示す断面側面図、図４は図１に示した車載用電子機器の係合手段を示していて、同図Ａは車載用電子機器の機器本体が取付枠体に係合された状態にある一部断面図、同図Ｂは同図Ａに示した係合手段が解除される状態にある一部断面図、図５は図４に組み込まれている一実施形態の連結板の構造を示した斜視図、図６は本発明の車載用電子機器に搭載した第２実施形態の係合手段を示していて、同図Ａは車載用電子機器の機器本体が取付枠体に係合されて係合状態にある一部断面図、同図Ｂは同図Ａに示した係合手段が解除される状態にある一部断面図、図７は本発明の第３実施形態の取っ手付き車載用電子機器の機器本体から操作パネルを外した状態を示すもので、同図Ａはその一部斜視図、同図Ｂはその前面図、図８は図７に示した取っ手付き車載用電子機器の断面図、図９は図８に示した一部部品の斜視図、図１０は図７に示した機器本体に組み込まれている一部の部品を示していて、同図Ａは取っ手係止装置の斜視図、同図Ｂは同図ＡのＡ―Ａ線上における断面図、同図Ｃは同図ＡのＢ―Ｂ線上における断面図、同図Ｄは機器本体に取り付けた状態で示した取っ手押圧装置の断面図、図１１は図８に示した係合手段を解除し、機器本体を引き出す段階を示していて、同図Ａは取っ手が機器本体に収納された状態、即ち、没状態の側面図、同図Ｂは取っ手の係止が解除されて機器本体より突出した出状態の側面図、同図Ｃは機器本体を引き出せる状態の側面図である。
【００４８】
なお、従来技術の車載用電子機器の構成、構造部分と同一の構成、構造部分には同一の符号を付して、それらの説明を省略する。
先ず、図１を用いて、本発明の第１実施形態の車載用電子機器１Ａの構成を説明する。この車載用電子機器１Ａは、機器本体１０Ａと複数の操作ボタンを有する操作パネル２０Ａと取付枠体３０Ａとから構成されており、そして操作パネル２０Ａは機器本体１０Ａのフロントの装着部１２に着脱自在に取り付けられていて、機器本体１０Ａの筐体１１の上面の左右側方部に開けられた開口１１１に臨んで筐体１１の内部に所定の長さの板バネ１３が配設されている。そして操作パネル２０Ａの操作面にリリースボタン２９Ａとは別に係合解除ボタン２９Ｂが設けられていること、そして、内部に後記するような構成の係合手段５０Ａを備えていることである。
【００４９】
板バネ１３は、図１２Ｂに示したものと同一であるので、その構造の説明は省略する。また、取付枠体３０Ａの上面の左右側方部に、これら一対の板バネ１３の係合突起１３１部分が外方に突出できるような一対の係合孔３１が形成されている。
【００５０】
また、リリースボタン２９Ａは、従来技術の電子機器１ｂにおけるリリースボタン２８（図１５）の機能と同様に、操作パネル２０Ａを機器本体１０Ａの装着部１２から取り外す操作子である。リリースボタン２９Ａは、図３に示したように、コイルバネ２９ｂで常時操作パネル２０の表面から突出するように押し出されており、そのリリースボタン２９Ａの先端部２９ｂが図３Ａに示したように、操作パネル２０Ａの裏面と同一の面内或いはこれより後退した位置で臨んでいる。そのリリースボタン２９Ａをコイルバネ２９ｂに抗して押すことによって、操作パネル２０Ａが後記する着脱装置１５との係合が解除され、図２に示したように、操作パネル２０Ａを機器本体１０Ａの装着部１２から取り外せるように構成されている。
【００５１】
次に、図４をも加味して、車載用電子機器１Ａに搭載した前記第１実施形態の解除手段を含む係合手段５０Ａを説明する。
図４において、取付枠体３０Ａは、その係止爪３２を切り起こして、それらの係止爪３２が車両のダッシュボードに係合し、固定されていることは、従来技術の場合と同様である。その取付枠体３０Ａの係合孔３１に機器本体１０Ａに固定されている板バネ１３の係合突起１３１が係合して、専用工具Ｄがなければ、取り出せないように取り付けられている。また、操作パネル２０Ａは機器本体１０Ａの装着部１２に着脱自在に取り付けられているものとする。このように機器本体１０Ａに取り付けられた操作パネル２０Ａは、この機器本体１０Ａと操作パネル２０Ａの不揮発性メモリに書き込まれた認識番号が一致していると、この操作パネル２０Ａに設けられた操作ボタンにより機器本体１０Ａを操作できるものとなる。
【００５２】
そして、このような係合状態において、本実施形態においては、板バネ１３、取付枠体３０Ａ、第１実施形態の係合手段５０Ａが機器本体１０Ａ内に組み込まれている。板バネ１３の形状は従来技術のものと若干異なるが、機能はほぼ同一であるので、同一部品は同一符号を付して、ここでは、それらの詳細な説明は省略し、解除装置４０Ａの構成、構造を説明する。
【００５３】
解除装置４０Ａは機器本体１０Ａの内面に取り付けられているロッド４２を備えたプランジャ４１と、板バネ１３の傾斜面１３２の裏面に固定されている連結板４３と、この連結板４３を、図において常時下方に引き下げる力で引くコイルバネ４４とから構成されている。
【００５４】
連結板４３は、図５に示したように、一端部４３１が板バネ１３の傾斜面１３２など先端部の屈曲形状に沿う三角形に形成されており、他端部は板体を切り起こした水平板４３２とこの水平板４３２に連続してこれより斜め上方に向かう傾斜面４３３とが形成された構造のものである。
【００５５】
この連結板４３の先端部４３１を接着などで板バネ１３の前記屈曲部に固定し、水平板４３２にコイルバネ４４を連結して下方に引いて取り付ける。そしてプランジャ４１のロッド４２を水平板４３２の下方に突出させて、ロッド４２の位置より下方に下げないように配設する。そして、この場合のプランジャ４１は通電されていない時に、ロッド４２が図４Ａの図示のように突出しているものとする。
【００５６】
このように構成することによって、認識番号が合致して装着部１２に装着できている操作パネル２０Ａのリリースボタン２９Ａを押圧すると、操作パネル２０Ａは装着部１２から外れるようになる。もし、機器本体１０Ａを取付枠体３０Ａから取り外すときは、機器本体１０Ａに操作パネル２０Ａを装着した状態で操作パネル２０Ａの所定の操作ボタン、即ち、解除ボタン２９Ｂを操作すると、プランジャ４１が作動し、同図Ｂに示したように、ロッド４２が後退して連結板４３の水平板４３２から抜け、バネ４４に引っ張られ、板バネ１３の先端傾斜面１３２が下がり、後退しているロッド４２の先端部が傾斜面４３３の中間部に当接して、その位置に止まる。なお、プランジャ４１のロッド４２は機器本体１０Ａ内の制御マイコンに制御され、例えば、数十秒間、後退状態を保持する。
【００５７】
この係合を解除し得る状態で専用工具Ｄを挿入すると、その先端部Ｄａは板バネ１３の傾斜面１３２を裏面から押圧することができ、その押圧によって係合突起１３１が取付枠体３０Ａの係合孔３１から外れる。従って、上下側面の各々の係合孔３１にそれぞれ工具Ｄを挿入して、それぞれの係合突起１３１が外れば、機器本体１０Ａを取付枠体３０Ａから引き出すことができ、他の機器本体と交換することができる。
【００５８】
このように、本実施形態の係合手段５０Ａによれば、取付枠体３０Ａに係合して取り付けられた機器本体１０Ａは専用工具Ｄがなければ、容易に取り出すことができず、また、操作パネル２０Ａと機器本体１０Ａとの認識番号が合致しなければ、操作パネル２０を装着部１２に装着しても、解除ボタン２９Ｂの操作によりプランジャ４１は作動せず、従って、プランジャ４１のロッド４２が突出した状態（図４Ａの状態）なので、挿入部、即ち、挿入口２４、１２４から専用工具Ｄを差し込んでも、板バネ１３の傾斜面１３２とプランジャ４１のロッド４２及び連結板４３の係合解除阻止手段により係合解除が阻止され、装着されている機器本体１０Ａを取り出すことはできない。このように、機器本体１０Ａの盗難が防御される。
【００５９】
この第１実施形態の解除装置４０Ａを含む係合手段５０Ａでは部品点数が多い。この点を改善したのが図６に示した第２実施形態の解除装置４０Ｂを含む第２実施形態の係合手段５０Ｂである。
【００６０】
この解除装置４０Ｂは、プランジャ４０のみで構成されていて、このプランジャ４１は通電されていない時は、同図Ａに示したように、ロッド４２が突出して、機器本体１０Ａの内部で専用工具Ｄの先端部Ｄａが係合手段５０Ｂの係合解除を阻止するように、板バネ１３の傾斜面１３２の前方に位置するようにシャシー（不図示）などに取り付けられている。
【００６１】
このように構成することによって、認識番号が合致して装着部１２に装着できている操作パネル２０Ａの解除ボタン２９Ａを押圧すると、プランジャ４１が数十秒間作動し、同図Ｂに示したように、ロッド４２が後退して専用工具Ｄの通路が開放され、その先端部Ｄａは板バネ１３の傾斜面１３２を押圧することができ、その押圧によって係合突起１３１が取付枠体３０Ａの係合孔３１から外れる。従って、全ての係合突起１３１が外れれば、機器本体１０Ａを引き出すことができ、他の機器本体と交換することができる。
【００６２】
次に、図７乃至図１１を用いて、本発明の取っ手付き車載用電子機器１Ｂに適用した第３実施形態の解除装置を含む係合手段５０Ｃを説明する。
この車載用電子機器１Ｂも、機器本体１０Ａとそのフロントの装着部１２に着脱自在に取り付けられる操作パネル２０Ａとからなり、更に、機器本体１０Ａに取っ手１４が取り付けられている電子機器であって、第１実施形態と同一の構成、構造部分には同一の符号を付して説明する。なお、図７には操作パネル２０Ａを装着部１２より取り外した状態を図示したものである。
【００６３】
機器本体１０Ａの筐体１１内に配設されているシャシー１２８の両端部下方の内部に、コの字型の取っ手１４が上方に回動できるように回動軸１１２で軸支されている。この取っ手１４の中央部には係合孔１４１が形成されている。また、取っ手１４のコーナには補強板１４２が取り付けられており、取っ手１４の歪みを防止している。更にまた、取っ手１４の回動軸１１２部分の下面には筐体１１の下面に開けられた係合孔１３３に填る係合突起１４３と、取っ手１４の回動軸１１２部分の側面に、その内方近傍に配設されている可動バネ接点Ｓ１と固定接点Ｓ２からなるスイッチＳの可動バネ接点Ｓ１を押圧する押圧突起１４４とが形成されている。
【００６４】
更にまた、シャシー１２８の両側面には、案内スロット１１３が形成されており、この中に填め込まれている係合突起１１４を一端に備え、他端が取っ手１４のほぼ中央部に回動軸１１５に回動自在に連結板１１６が連結されている。そして連結板１１６の前記一端には、その連結板１１６を常時案内スロット１１３の下方端に引き寄せようとする力が働くバネ１１７で支持されている。
【００６５】
従って、図１１Ａに示したように、取っ手１４を機器本体１０Ａ内に収納した場合には、係合突起１４３が係合孔１３３に填まり、また、バネ１１７によって取っ手１４が内方に引き寄せらた状態になる。次に、この係合状態から後記の動作で図１１Ｂに示したように、取っ手１４が機器本体１０Ａからバネ１１７の力に抗して引っ張られて離間し、連結板１１６も引かれ、案内スロット１１３の上方端に連結突起が移動し、そして係合突起１４３が係合孔１３３から抜け、スイッチＳと掛合して押圧状態となる状態では、取っ手１４から手を離しても、図１１Ｂの離間状態でバランスする。更に使用者が強制的に取っ手１４を図１１Ｃのように押し下げることにより、取っ手１４の重量がバネ１１７の力より勝って、最早、取っ手１４から手を離しても、取っ手１４がバネ１１７の力で上方に回動させられることがない。
【００６６】
前記スイッチＳは、機器本体１０Ａの制御部を動作させて、取っ手１４を持って機器本体１０Ａを取付枠体３０Ａから引き抜いた場合に、図１２に示したコネクター３３から機器本体１０Ａの接続が抜け、この時にサージ電流が流れて、スピーカから不快な高音のショックノイズが放声されることを防止するため、コネクター３３から機器本体１０Ａの接続が切り離される前に機器本体１０Ａの電源をオフさせるようにしている。
【００６７】
機器本体１０Ａの枠体１２１の外周上方の中央部には、外部に係合板５１を露出させた係合手段５０Ｃが組み込まれており、そして枠体１２１の外周上方の左右端部には、取っ手押圧装置６０が組み込まれている。
【００６８】
係合手段５０Ｃは、係合板５１、ロッド５２を備えたプランジャ５３、コイルバネ５４とから構成されている。係合板５１は、図９にも示したように、直角三角形の構造で形成されており、その頂点は係合爪５１１であって、後記するように取っ手１４の係合孔１４１に入り、これを係止する。また、直角三角形の傾斜面５１２にロッド５２が当接し、摺動する。また、係合板５１の下面にはコイルバネ５４が配設されていて、係合板５１を常時上方に押圧している。そのコイルバネ５４はシャシー１２８の一部に形成されているコイル収納凹部１２９に収納されている。プランジャ５３のロッド５２の先端部５２１は直角に曲げられていて、その先端部５２１が係合板５１の傾斜面５１２に当接し、摺動する。なお、プランジャ５３が通電（作動）していない時には、そのロッド５２は最も長く突出している。
【００６９】
取っ手押圧装置６０は、図１０に示したように、ケース６１と弾性押圧子６２とコイルバネ６３とから構成されている。ケース６１は一端が開口し、上下の側板端部に係止爪６１１が、左右の側板中央に案内溝６１２が形成されており、他端が有底のものである。弾性押圧子６２は断面コの字型の形状で形成されており、両脚部の先端部には抜け止め爪６２１が形成されている。これら脚部を連結している平板部は取っ手１４を押す押圧部６２である。両脚部はケース６１の案内溝６１２に填め込まれて、自在に摺動できるように組み込まれている。ケース６１には、その底に一端が固定され、他端が押圧部６２２の裏面に固定されてコイルバネ６２が収納されている。
【００７０】
この取っ手押圧装置６０は機器本体１０Ａ内のシャシー１２８の一部に開けられた孔に外部から差し込み、係止爪６１１で板面に固定し（図１０Ｃ）、弾性押圧子６２はシャシー１２８の裏面に抜け止め爪６２１が当たるまでコイルバネ６３により外側に押し出された状態で突出させて取り付けられている（図１０Ｂ）。図１０Ｄは機器本体１０Ａのシャシー１２８の一部分の上方両コーナ部に取り付けられた取っ手押圧装置６０が取っ手１４を機器本体１０Ａ内に収納した場合に、その補強板１４２が弾性押圧子６２をコイルバネ６３に抗して押し込まれた状態を示したものである。
【００７１】
本実施形態では以上記したような構成、構造の係合手段５０Ｃ及び取っ手押圧装置６０を機器本体１０Ａに設けることにより、機器本体１０Ａを盗難から防止でき、かつ他の電子機器との交換が容易に行うことができる。
【００７２】
先ず、盗難防止機能を説明する。図４または図６に示したように、車両に取り付けられた取付枠体３０Ａに機器本体１０Ａを挿入、専用工具Ｄを用いない限り取りさせないように固定する。即ち、取付枠体３０Ａには係合孔３１が設けられ、機器本体１０Ａには係合孔３１に対向する部分の板バネ１３の係合突起１３１が係合されるようになされている。
【００７３】
次に、図１１Ａに示したように、取っ手１４を上方に回動して機器本体１０Ａの前部外周面に収納する。そうすると、取っ手１４が係合板５１の傾斜面５１２を所定の収納位置まで押し、同時に取っ手１４の両補強板１４２も取っ手押圧装置６０の弾性押圧子６２をコイルバネ６３に抗して押し込む。そして係合手段５０Ｃの係合板５１がコイルバネ１２９の押圧力に抗して押し下げられることにより、図８に示したように、取っ手１４の係合孔１４１に係合板５１の係合爪５１１がはまり込み、係合板５１はコイルバネ５４の押圧力で押し上げられて取っ手１４が係止される。
【００７４】
この取っ手１４の係止状態で操作パネル２０がなければ、盗人がたとえ専用工具Ｄに類似の工具を用いて機器本体１０Ａを取付枠体３０Ａから外し、取り出そうとしても、取っ手１４が係合板５１によって係止されているので、機器本体１０Ａを取り出す（引き出す）ことはできない。即ち、この取っ手１４が没状態では工具Ｄを挿入する機器本体１０Ａに設けられた挿入孔１２４は取っ手１４により閉鎖されて工具Ｄを挿入することができない。即ち、この場合、取っ手１４が係合解除を阻止する部材となる。
【００７５】
機器本体１０Ａを取り出す場合には、装着部１２に装着した認識番号の合致した操作パネル２０Ａの解除ボタン２９Ｂを押圧する。そうすると、プランジャ５３は通電して作動し、瞬時的にロッド５２が引き込む。このロッド５２の引き込み動作の時に、ロッド５２の先端部５２１が係合板５１の傾斜面５１２を押圧し、下方に押し下げる。この係合板５１の下方への動きにより係合板５１の係合爪５１１が取っ手１４の係合孔１４１から外れ、取っ手１４の係止が解除される。
【００７６】
取っ手１４の係止が解除されると、取っ手押圧装置６０の弾性押圧子６２がコイルバネ６３により突出し、この突出によって、取っ手１４は、図１１Ｂに示したような、それぞれの位置の中間位置まで機器本体１０Ａの前方に弾き出され、可動バネ接片Ｓ１の弾性摩擦力とバネ１１７の力と釣り合った状態で停止する（取っ手１４の出状態）。
【００７７】
次に、この弾き出された状態の取っ手１４を使用者が握って、図１１Ｂの位置を通り越して図１１Ｃに示した位置までスイッチＳを作動させて機器本体１０Ａの電源をオフさせ、水平状態に回動させる。
【００７８】
取っ手１４がこの最下位の位置になった時に、図１４を用いて説明したように、専用工具Ｄを用いて取付枠体３０Ａから機器本体１０Ａの係合を外し、取っ手１４を持って引き出せば、機器本体１０Ａを取り出すことができ、従って、使用者は好みの他の機器本体と交換することができる。
【００７９】
以上説明したように、本実施形態の係合手段５０Ｃは、操作パネル２０Ａが外されておれば、解除ボタン２９Ｂが無い状態となるため、これを作動させることができず、機器本体１０Ａの引き出せず、盗難を防止することができる。
【００８０】
【発明の効果】
以上説明したように、本発明の電子機器によれば、盗人が取付枠体に取り付けられた機器本体を専用工具、或いはこれと類似の工具を用いて取り出そうとしても、機器本体を取付枠体から外すための解除用操作子が機器操作面になければ、取り出すことができず、機器本体の盗難を確実に防止することができる。
【図面の簡単な説明】
【図１】  本発明の第１実施形態の車載用電子機器に搭載した第１実施形態の車載用電子機器の分解斜視図である。
【図２】  図１に示した車載用電子機器の機器本体の前面に着脱自在に取り付けられる操作パネルを外した状態の分解斜視図である。
【図３】  図２に示した操作パネルを機器本体から外すためのリリースボタンの構造を示す断面側面図である。
【図４】  本発明の車載用電子機器に搭載した第１実施形態の係合手段を示していて、同図Ａは車載用電子機器の機器本体が取付枠体に係合されて盗難防止状態にある一部断面図、同図Ｂは同図Ａに示した盗難防止状態が解除された状態にある一部断面図である。
【図５】  図４に組み込まれている一実施形態の連結板の構造を示した斜視図である。
【図６】  本発明の車載用電子機器に搭載した第２実施形態の係合手段を示していて、同図Ａは車載用電子機器の機器本体が取付枠体に係合されて盗難防止状態にある一部断面図、同図Ｂは同図Ａに示した盗難防止状態が解除された状態にある一部断面図である。
【図７】  本発明の車載用電子機器の機器本体から操作パネルを外した状態を示していて、同図Ａはその一部斜視図、同図Ｂはその正面図である。
【図８】  図７に示した取っ手付き車載用電子機器に組み込まれている第３実施形態の係合手段の断面図である。
【図９】  図８に示した係合手段の一部斜視図である。
【図１０】  図７に示した機器本体に組み込まれている一部の部品を示していて、同図Ａは取っ手係止装置の斜視図、同図Ｂは同図ＡのＡ―Ａ線上における断面図、同図Ｃは同図ＡのＢ―Ｂ線上における断面図、同図Ｄは機器本体に取り付けた状態で示した取っ手押圧装置の断面図である。
【図１１】  図８に示した係合手段を解除し、機器本体を引き出す段階を示していて、同図Ａは取っ手が収納（係止）状態の側面図、同図Ｂは取っ手の係止が解除された状態の側面図、同図Ｃは機器本体を引き出せる状態の側面図である。
【図１２】  従来技術の第１形式の車載用電子機器を示していて、同図Ａはその構成を示す分解斜視図、同図Ｂは同図Ａの車載用電子機器に用いられている一構成部品である板バネの斜視図である。
【図１３】  図Ｓに示した車載用電子機器が車両に組み込まれた係止状態を示す側面図である。
【図１４】  図１３に示した組込状態にある車載用電子機器から機器本体を取り出す場合の係止解除方法を説明するための要部断面図である。
【図１５】  従来技術の第２の形式の車載用電子機器の斜視図である。
【図１６】  図１５に示した車載用電子機器の機器本体から操作パネルがリリースされた状態を示す分解斜視図である。
【図１７】  図１５に示した車載用電子機器の機器本体から操作パネルをリリースさせるためのリリースボタンの構造を示す断面図である。
【図１８】  着脱装置によって機器本体の装着部に操作パネルが装着され、係合されている状態を示した一部分の断面上面図である。
【図１９】  図１８に示した着脱装置による係合状態から操作パネルが離脱した状態を示した一部分の断面上面図である。
【符号の説明】
１Ａ…本発明の第１実施形態の車載用電子機器、１Ｂ…本発明の第２実施形態の車載用電子機器、１０Ａ…機器本体、１２…機器本体１０Ａの装着部、１２１…枠体、１２２…開口部、１３…板バネ、１４…取っ手、１３１…板バネ１３の係合突起、１３２…板バネ１３の傾斜面、２０Ａ…操作パネル、２１…操作ボタン、２３…開口部、２９…リリースボタン、３０Ａ…取付枠体、４０Ａ，４０Ｂ…解除装置、４１，５３…プランジャ、５０Ａ…第１実施形態の係合手段、５０Ｂ…第２実施形態の係合手段、５０Ｃ…第３実施形態の係合手段、５１…係合板、６０…取っ手押圧装置
【図１】
0004300386.tif 000002
【図２】
0004300386.tif 000003
【図３】
0004300386.tif 000004
【図４】
0004300386.tif 000005
【図５】
0004300386.tif 000006
【図６】
0004300386.tif 000007
【図７】
0004300386.tif 000008
【図８】
0004300386.tif 000009
【図９】
0004300386.tif 000010
【図１０】
0004300386.tif 000011
【図１１】
0004300386.tif 000012
【図１２】
0004300386.tif 000013
【図１３】
0004300386.tif 000014
【図１４】
0004300386.tif 000015
【図１５】
0004300386.tif 000016
【図１６】
0004300386.tif 000017
【図１７】
0004300386.tif 000018
【図１８】
0004300386.tif 000019
【図１９】
0004300386.tif 000020